(57)【要約】【課題】ユーザが最新情報を画像と共に検索できるようにする。【解決手段】情報処理サーバ１は、ユーザ端末２から画像及び前記画像の撮影場所及び撮影日時を含む撮影関連情報を受信する受信処理部１１０と、前記撮影場所又は前記撮影日時に関連する付加情報を収集する付加情報収集部１４０と、前記画像、前記撮影関連情報及び前記付加情報を対応付けて保存する記憶部１４と、前記画像及び前記付加情報を顧客端末に提供する提供部１５０と、を備える。【選択図】図１
2019057246.tif 000002
【特許請求の範囲】
【請求項１】
ユーザ端末から画像及び前記画像の撮影場所及び撮影日時を含む撮影関連情報を受信する受信処理部と、
前記撮影場所又は前記撮影日時に関連する付加情報を収集する付加情報収集部と、
前記画像、前記撮影関連情報及び前記付加情報を対応付けて保存する記憶部と、
前記画像及び前記付加情報を顧客端末に提供する提供部と、
を備える情報処理装置。
【請求項２】
前記付加情報は、前記撮影場所における天気情報、前記撮影場所周辺の交通情報、前記撮影場所に存在する施設のイベント情報、又は前記施設の営業情報を含むことを特徴とする請求項１に記載の情報処理装置。
【請求項３】
サーバから画像を取得する画像取得部と、
前記画像取得部が取得した画像を解析して撮影関連情報を抽出する解析部と、
をさらに備え、
前記付加情報収集部は、前記解析部により抽出された撮影関連情報に基づいて付加情報を収集することを特徴とする請求項１又は２に記載の情報処理装置。
【請求項４】
ユーザ端末から画像及び前記画像の撮影場所及び撮影日時を含む撮影関連情報を受信するステップと、
前記撮影場所又は前記撮影日時に関連する付加情報を収集するステップと、
前記画像、前記撮影関連情報及び前記付加情報を対応付けて記憶部に格納するステップと、
前記画像及び前記付加情報を顧客端末に提供するステップと、
をコンピュータに実行させることを特徴とするプログラム。
【発明の詳細な説明】
【技術分野】
【０００１】
本発明は、情報処理装置及びプログラムに関する。
【背景技術】
【０００２】
近年、ユーザの嗜好や状況等に応じた情報を検索するサービスが広く普及している。例えば、ユーザは、情報検索サイトを使って、旅先で観光スポットや飲食店を探し、口コミや評価（レイティング）を参考に行先を決定する。
【０００３】
しかし、情報検索サイトでは、新しい情報だけでなく、古い情報が提示されることがあった。また、検索結果は季節（時期）に連動しておらず、ユーザが旅先にいる現在の時期に合った最新の情報を検索することは困難であった。
【先行技術文献】
【特許文献】
【０００４】
【特許文献１】特開２０１４−３８６４７号公報
【発明の概要】
【発明が解決しようとする課題】
【０００５】
本発明は、ユーザが最新情報を画像と共に検索できるようにする情報処理装置及びプログラムを提供することを目的とする。
【課題を解決するための手段】
【０００６】
本発明の情報処理装置は、ユーザ端末から画像及び前記画像の撮影場所及び撮影日時を含む撮影関連情報を受信する受信処理部と、前記撮影場所又は前記撮影日時に関連する付加情報を収集する付加情報収集部と、前記画像、前記撮影関連情報及び前記付加情報を対応付けて保存する記憶部と、前記画像及び前記付加情報を顧客端末に提供する提供部と、を備えるものである。
【０００７】
本発明の一態様では、前記付加情報は、前記撮影場所における天気情報、前記撮影場所周辺の交通情報、前記撮影場所に存在する施設のイベント情報、又は前記施設の営業情報を含む。
【０００８】
本発明の一態様では、サーバから画像を取得する画像取得部と、前記画像取得部が取得した画像を解析して撮影関連情報を抽出する解析部と、をさらに備え、前記付加情報収集部は、前記解析部により抽出された撮影関連情報に基づいて付加情報を収集する。
【０００９】
本発明のプログラムは、ユーザ端末から画像及び前記画像の撮影場所及び撮影日時を含む撮影関連情報を受信するステップと、前記撮影場所又は前記撮影日時に関連する付加情報を収集するステップと、前記画像、前記撮影関連情報及び前記付加情報を対応付けて記憶部に格納するステップと、前記画像及び前記付加情報を顧客端末に提供するステップと、をコンピュータに実行させるものである。
【発明の効果】
【００１０】
本発明によれば、ユーザが最新情報を画像と共に検索できるようになる。
【図面の簡単な説明】
【００１１】
【図１】本発明の実施形態による情報処理システムの例を示す図である。
【図２】検索結果の表示例を示す図である。
【図３】ユーザ端末のハードウェア構成図である。
【図４】ユーザ端末の機能ブロック図である。
【図５】情報処理サーバのハードウェア構成図である。
【図６】情報処理サーバの機能ブロック図である。
【発明を実施するための形態】
【００１２】
図１は、本実施形態による情報処理装置として動作する情報処理サーバ１を含む情報処理システムの一例を示す。この情報処理システムでは、情報処理サーバ１、ユーザ端末２、ＳＮＳサーバ３、ウェブサーバ４が、インターネットなどのネットワーク５を介して互いに接続可能となっている。
【００１３】
ＳＮＳサーバ３は、ソーシャル・ネットワーキング・サービス（ＳＮＳ）のウェブサイトを提供する。ウェブサーバ４は、例えば、観光スポットや飲食店の検索サービスのウェブサイトを提供する。
【００１４】
ユーザ端末２は、例えばスマートフォン、タブレット端末、ＰＣ等であり、ＳＮＳサーバ３にログインしたり、ウェブサーバ４にアクセスしたりする機能（インターネットに接続する機能及びＷｅｂブラウザ）を有している。
【００１５】
ユーザ端末２がスマートフォンやタブレット端末である場合、ユーザは、ユーザ端末２の撮影機能を用いて撮影を行い、撮影した画像がユーザ端末２内に保存される。ユーザ端末２がＰＣである場合、ユーザは、デジタルカメラで撮影した画像をＰＣに転送し、画像データがＰＣの記憶装置に保存される。
【００１６】
ユーザ端末２は、保存している画像の撮影関連情報を解析・収集して、画像データ及び撮影関連情報を情報処理サーバ１へ送信する。画像の撮影関連情報は、撮影日時、撮影方向、撮影場所等の情報である。例えば、Ｅｘｉｆ（登録商標）（Exchangeable  Image  File  Format）に準拠した形式の画像ファイルには、撮影日時、撮影方向、ＧＰＳ情報（緯度、経度、標高）、撮影機器のメーカ名やモデル名等の情報が埋め込まれている。ユーザ端末２は、画像データに埋め込まれた情報から、必要な撮影関連情報を解析・収集する。
【００１７】
情報処理サーバ１は、ユーザ端末２から受信した画像データ及び撮影関連情報を保存する。また、情報処理サーバ１は、受信した画像が撮影された場所や日時に関連する付加情報を収集し、画像データ及び撮影関連情報に紐付けて保存する。
【００１８】
付加情報は、例えば、天候、イベント情報、営業情報、交通情報等である。情報処理サーバ１は、ユーザ端末２から受信した撮影関連情報から、撮影日時及び撮影場所を特定する。そして、情報処理サーバ１は、天気予報サーバ（図示略）にアクセスし、撮影場所における天気情報を取得する。
【００１９】
情報処理サーバ１は、マップ情報サーバ（図示略）にアクセスし、撮影場所に存在する施設（観光スポットや飲食店）を特定する。情報処理サーバ１は、施設を特定すると、この施設のウェブサイトから、イベント情報や営業情報を取得する。
【００２０】
情報処理サーバ１は、交通情報サーバ（図示略）にアクセスし、撮影場所周辺の交通情報を取得する。交通情報は、例えば交通機関の遅延・運休情報や、道路の混雑状況等である。
【００２１】
ＳＮＳサーバ３は、ユーザにより投稿されたデータを保存する。情報処理サーバ１は、ＳＮＳサーバ３にアクセスし、ＳＮＳサーバ３に保存されている（ＳＮＳに投稿された）画像、及び画像の撮影関連情報を解析・収集する。情報処理サーバ１は、ＳＮＳサーバ３から画像及び撮影関連情報を取得し、取得した画像に関連する付加情報を収集し、画像、撮影関連情報、及び付加情報を対応付けて保存する。撮影関連情報及び付加情報は上述したものと同様の情報である。
【００２２】
ＳＮＳには大量の画像が投稿されているため、所定のルールに基づいて解析対象となる画像を絞り込むことが好ましい。例えば、「イイネ！」や「ｌｉｋｅ」等のコメントが多く付加されている注目度の高い画像や、一定期間内（例えば直近１週間以内）に投稿された新しい画像を解析対象とする。
【００２３】
このようにして、情報処理サーバ１は、ユーザ端末２内の画像やＳＮＳ上の画像を収集し、これらの画像の撮影関連情報及び付加情報と対応付けて保存する。
【００２４】
情報処理サーバ１は、保存している情報を、顧客端末であるウェブサーバ４に提供する。ウェブサーバ４は、例えば、観光スポットや飲食店の検索サービスのウェブサイトを提供しており、ユーザが地名や施設名等を入力して検索すると、直近の画像（例えば１週間以内に撮影された画像）や、最新の付加情報を検索結果として提示する。
【００２５】
図２は、提示される検索結果の一例を示す。例えば施設名を入力して検索すると、施設の場所で撮影された画像Ｐや、様々な付加情報（天候、営業時間、交通情報、イベント情報、営業時間等）が提示される。
【００２６】
画像Ｐは、撮影日が近い順に表示される。また、検索を行った時刻と同じ時間帯に撮影された画像が表示されるようにしてもよい。例えば、昼間に検索を行った場合、夜間に撮影された画像Ｐ１の表示は省略される。
【００２７】
直近に撮影された画像の数が少ない場合、過去（例えば去年）の同時期に撮影された画像を表示してもよい。
【００２８】
情報処理サーバ１から情報提供を受けたウェブサーバ４の検索サービスを利用することで、検索対象の最新情報を画像と共に検索することができる。また、検索時点と同時期の景観を画像表示することができる。
【００２９】
図３はユーザ端末２のハードウェア構成図である。ユーザ端末２がスマートフォンやタブレット端末である場合、ユーザ端末２は、ＣＰＵ（Central  Processing  Unit）２１、ＲＡＭ（Random  Access  Memory）２２、ＲＯＭ（Read  Only  Memory）２３、記憶部２４、入出力部２５、通信部２６、撮影部２７、ＧＰＳ受信部２８等を備える。
【００３０】
記憶部２４は例えばフラッシュメモリである。入出力部２５は、例えばタッチパネルである。撮影部２７は例えばデジタルカメラであり、撮影した画像は記憶部２４に格納される。ＧＰＳ受信部２８は、ＧＰＳ衛星から発せられる電波を受信し、ＧＰＳ情報に基づいて、ユーザ端末２が存在する現在地の位置情報（緯度や経度）を取得する。撮影部２７による撮影画像には、撮影日時、撮影方向、撮影場所の位置情報等が埋め込まれる。
【００３１】
ユーザ端末２がＰＣの場合、記憶部２４は例えばハードディスクドライブであり、入出力部２５は例えばディスプレイ、キーボード、マウス等であり、撮影部２７及びＧＰＳ受信部２８は省略され得る。記憶部２４には、他機器で撮影された画像が格納される。
【００３２】
ＲＯＭ２３又は記憶部２４には、情報収集プログラムが格納されている。情報収集プログラムがＲＡＭ２２にロードされ、ＣＰＵ２１によって実行されることで、図４に示す画像選択部２１０、解析部２２０、及び送信処理部２３０が実現される。
【００３３】
画像選択部２１０は、記憶部２４に保存されている画像から、解析対象とする画像を選択する。例えば、画像選択部２１０は、画像の撮影日時情報に基づいて、所定期間（例えば直近１ヶ月以内）に撮影された画像を解析対象として選択する。記憶部２４に保存されている全ての画像を解析対象としてもよい。
【００３４】
解析部２２０は、画像解析を行い、画像の撮影日時、撮影方向、撮影場所等の撮影関連情報を抽出する。
【００３５】
送信処理部２３０は、通信部２６を用いて、画像データ及び撮影関連情報を情報処理サーバ１へ送信する。
【００３６】
図５は、情報処理サーバ１のハードウェア構成図である。情報処理サーバ１は、ＣＰＵ１１、ＲＡＭ１２、ＲＯＭ１３、記憶部１４、入出力部１５、通信部１６等を備える。記憶部１４は例えばハードディスクドライブである。入出力部１５は、例えばキーボード、マウス、ディスプレイ等である。
【００３７】
ＲＯＭ１３又は記憶部１４には、情報処理プログラムが格納されている。情報処理プログラムがＲＡＭ１２にロードされ、ＣＰＵ１１によって実行されることで、図６に示す受信処理部１１０、画像取得部１２０、解析部１３０、付加情報収集部１４０、及び提供部１５０が実現される。
【００３８】
受信処理部１１０は、通信部１６を用いて、ユーザ端末２から、画像データ及び撮影関連情報を受信する。
【００３９】
画像取得部１２０は、ＳＮＳサーバ３から画像を取得する。ＳＮＳサーバ３には大量の画像が保存されているため、画像に付加されているコメント数、ＳＮＳへの投稿日、撮影日等に基づいて、画像を選択し、取得する。例えば所定数以上のコメントが付加されている画像や、投稿日又は撮影日が所定期間内の画像を選択して取得する。
【００４０】
解析部１３０は、ＳＮＳサーバ３から取得した画像の解析を行い、画像の撮影日時、撮影方向、撮影場所等の撮影関連情報を抽出する。
【００４１】
付加情報収集部１４０は、ユーザ端末２やＳＮＳサーバ３から取得した画像に関連する付加情報を収集する。例えば、付加情報収集部１４０は、撮影関連情報から、撮影日時及び撮影場所を特定し、撮影場所における天気情報、撮影場所に存在する施設のイベント情報や営業情報、撮影場所周辺の交通情報等を収集する。
【００４２】
ユーザ端末２やＳＮＳサーバ３から取得した画像は、撮影関連情報及び付加情報と共に記憶部１４に保存される。
【００４３】
提供部１５０は、通信部１６を用いて、記憶部１４に保存している情報（画像及び付加情報）をウェブサーバ４に提供する。
【００４４】
情報処理サーバ１から情報提供を受けたウェブサーバ４の検索サービスを利用することで、検索対象の最新情報を画像と共に検索することができる。例えば、旅先で観光スポットや飲食店を探す際に、この検索サービスを利用することで、当日の営業時間や開催されているイベント、営業時間、天候や交通情報などの最新状況を、景観等を撮影した画像と共に確認することができる。また、検索結果に、過去の同時期の画像を表示することもできる。
【００４５】
画像の撮影場所の特定は、ＧＰＳ情報を用いることが簡便であるが、これに限定されず、ユーザ端末２が接続したネットワーク情報、撮影場所に設置されたビーコン端末等の電波発信機との通信情報等を用いてもよい。また、画像に写っている特徴物の形状や文字情報から場所を推定してもよい。
【００４６】
上記実施形態では、ユーザ端末２が画像の解析を行い、撮影関連情報を抽出していたが、ユーザ端末２が情報処理サーバ１へ画像を送信し、情報処理サーバ１が撮影関連情報の抽出を行ってもよい。
【００４７】
上記実施形態では、ユーザ端末２から情報処理サーバ１へ送信された画像は、ウェブサーバ４に提供され、第３者の検索結果で表示され得る。そのため、ユーザ端末２の画像選択部２１０は、記憶部２４に保存されている画像に対して顔検出処理を行い、人物が写っているか否か判定し、人物が写っている画像を解析対象から外してもよい。また、人物が写っていると判定した画像については、情報処理サーバ１へ送信してよいかを問う画面をユーザ端末２に提示し、ユーザからの回答によって、解析対象とするか否か決定してもよい。
【００４８】
上記実施形態では、情報処理サーバ１がＳＮＳサーバ３に保存されている画像の解析を行う例について説明したが、画像ストレージ用クラウドサービス（クラウドサーバ）に保管されている画像を解析対象としてもよい。
【００４９】
上記説明は本発明の一例であり、本発明は上記以外の形態とされてもよい。
【符号の説明】
【００５０】
１  情報処理サーバ
２  ユーザ端末
３  ＳＮＳサーバ
４  ウェブサーバ
【図１】
2019057246.tif 000003
【図２】
2019057246.tif 000004
【図３】
2019057246.tif 000005
【図４】
2019057246.tif 000006
【図５】
2019057246.tif 000007
【図６】
2019057246.tif 000008